(57)【要約】      （修正有）【課題】ネットワークエミュレータを用いて模写移動通信網を形成する。【解決手段】外部装置及び少なくとも一つの無線端末機の間を連結してデータを伝達するネットワークエミュレータが、少なくとも一つのターゲット移動通信網においてのデータの伝送環境を貯蔵する。外部装置から伝達されるデータの伝送環境をターゲット移動通信網伝送環境のうち一つである模写移動通信網伝送環境に変更して無線端末機に提供するか、無線端末機から伝達されるデータの伝送環境を模写移動通信網に変更して外部装置に提供することにより、大勢のユーザが各々自分の無線端末機を用いて別途に区分された模写移動通信網での伝送環境を体験することができる。【選択図】図２
2015133104.tif 000002
【特許請求の範囲】
【請求項１】
外部装置と少なくとも一つの無線端末機とを接続してデータを伝達するネットワークエミュレータにおいて、
少なくとも一つのターゲット移動通信網におけるデータの伝送環境であるターゲット移動通信網伝送環境を貯蔵し、
外部装置から伝達されるデータの伝送環境を前記ターゲット移動通信網伝送環境の一つの模写移動通信網伝送環境に変更して前記無線端末機に提供する、又は、
前記無線端末機から伝達されるデータの伝送環境を前記模写移動通信網伝送環境に変更して前記外部装置に提供することを特徴とするネットワークエミュレータ。
【請求項２】
前記ターゲット移動通信網伝送環境は、
データの伝送速度がシナリオ情報によって時間変化するデータ伝送環境であることを特徴とする請求項１に記載のネットワークエミュレータ。
【請求項３】
前記シナリオ情報は、
データ伝送のための帯域幅の調節、データへのディレイ（delay）の挿入、データパケットのドロップ（Data  Packet  Drop）のうち少なくとも一つを含むことを特徴とする請求項２に記載のネットワークエミュレータ。
【請求項４】
前記模写移動通信網伝送環境は、前記無線端末機によって前記ターゲット移動通信網伝送環境の一つが選択されて決定されることを特徴とする請求項１に記載のネットワークエミュレータ。
【請求項５】
前記ターゲット移動通信網伝送環境は、接続された管理者端末機によって削除若しくは変更される、又は新しいターゲット移動通信網伝送環境が前記管理者端末機によって追加されることを特徴とする請求項１に記載のネットワークエミュレータ。
【請求項６】
無線共有機を通じて前記無線端末機に無線で接続されることを特徴とする請求項１に記載のネットワークエミュレータ。
【請求項７】
前記無線端末機に無線または有線で直接接続されることを特徴とする請求項１に記載のネットワークエミュレータ。
【請求項８】
前記外部装置は、
外部インターネットとの接続を中継する、又は内部ネットワーク網を形成するネットワーク中継機を含むことを特徴とする請求項１に記載ネットワークエミュレータ。
【請求項９】
前記外部装置は、
外部インターネットを含むことを特徴とする請求項１に記載のネットワークエミュレータ。
【請求項１０】
外部インターネットとの接続を中継する、又は内部ネットワーク網を形成するネットワーク中継機と、
少なくとも一つの無線端末機と前記ネットワーク中継機とを接続してデータを伝達し、少なくとも一つのターゲット移動通信網におけるデータの伝送環境であるターゲット移動通信網伝送環境を貯蔵している少なくとも一つのネットワークエミュレータを含み、
前記ネットワークエミュレータは、
前記ネットワーク中継機から伝達されるデータの伝送環境を前記ターゲット移動通信網伝送環境の一つの模写移動通信網伝送環境に変更して前記無線端末機に提供する、又は、
前記無線端末機から伝達されるデータの伝送環境を前記模写移動通信網伝送環境に変更して前記ネットワーク中継機に提供することを特徴とするネットワークシステム。
【請求項１１】
前記ターゲット移動通信網伝送環境は、
データの伝送速度がシナリオ情報によって時間変化するデータ伝送環境であることを特徴とする請求項１０に記載のネットワークシステム。
【請求項１２】
前記シナリオ情報は、
データ伝送のための帯域幅の調節、データへのディレイの挿入、データパケットのドロップのうち少なくとも一つを含むことを特徴とする請求項１１に記載のネットワークシステム。
【請求項１３】
前記無線端末機は、
前記ネットワークエミュレータに接続した後、前記ターゲット移動通信網伝送環境の一つを選択して、前記模写移動通信網伝送環境を決定することを特徴とする請求項１０に記載のネットワークシステム。
【請求項１４】
前記ネットワークエミュレータに接続して前記ターゲット移動通信網伝送環境を削除若しくは変更する、又は新しいターゲット移動通信網伝送環境を追加する管理者端末機をさらに含むことを特徴とする請求項１０に記載のネットワークシステム。
【請求項１５】
前記ネットワークエミュレータと前記無線端末機とを接続させ、近距離無線通信網を形成して前記無線端末機とデータを送受信する少なくとも一つの無線共有機をさらに含むことを特徴とする請求項１０に記載のネットワークシステム。
【請求項１６】
前記ネットワークエミュレータは、
前記無線端末機に無線または有線で直接接続されることを特徴とする請求項１０に記載のネットワークシステム。
【請求項１７】
外部装置と少なくとも一つの無線端末機とを接続してデータを伝達するネットワークエミュレータを用いて模写移動通信網を形成する模写移動通信網形成方法において、
前記ネットワークエミュレータに貯蔵された少なくとも一つのターゲット移動通信網におけるデータの伝送環境であるターゲット移動通信網伝送環境から模写移動通信網伝送環境を決定し、
前記外部装置から伝達されるデータの伝送環境を前記模写移動通信網伝送環境に変更して前記無線端末機に提供し、
前記無線端末機から伝達されるデータの伝送環境である内部伝送環境を前記模写移動通信網伝送環境に変更して前記外部装置に提供することを特徴とする模写移動通信網形成方法。
【請求項１８】
前記模写移動通信伝送環境の決定は、
前記無線端末機が前記ネットワークエミュレータに接続した後、前記ターゲット移動通信網伝送環境の一つを選択し、前記模写移動通信網伝送環境を決定することを特徴とする請求項１７に記載の模写移動通信網形成方法。
【請求項１９】
前記ターゲット移動通信網伝送環境は、前記ネットワークエミュレータに接続した管理者端末機によって削除若しくは変更する、又は新しいターゲット移動通信網伝送環境が前記管理者端末機によって追加されることを特徴とする請求項１７に記載模写移動通信網形成方法。
【請求項２０】
前記外部装置は、
外部インターネットとの接続を中継する、又は内部ネットワーク網を形成するネットワーク中継機を含むことを特徴とする請求項１７に記載の模写移動通信網形成方法。
【発明の詳細な説明】
【技術分野】
【０００１】
本発明はネットワークエミュレータ、それを有するネットワークシステム及びそれを用いた模写移動通信網形成方法に関する。より詳細には任意のターゲット移動通信網と類似した模写移動通信網を形成できるネットワークエミュレータ、それを有するネットワークシステム及びそれを用いた模写移動通信網形成方法に関する。
【背景技術】
【０００２】
最近通信技術の発達により移動通信網のデータ伝送速度がますます増加している。これに対応して、スマートホンのような無線端末機が前記移動通信網に接続してサービスを受けることのできる多様なアプリケーションプログラムが開発されている。
【０００３】
しかし、このような移動通信網は国別、地域別、企業別に多様に存在するので、各移動通信網毎にデータ伝送環境、例えば、データ伝送速度が異なる。従って、同一のアプリケーションプログラムであっても劣悪なデータ伝送環境を有する移動通信網内では円滑に動作できないこともあり得る。
【０００４】
最近、プログラム開発者はこのような劣悪な伝送環境でも円滑に動作できるアプリケーションプログラムを開発しようと努めている。そこで、プログラム開発者は劣悪なデータ伝送環境と類似した伝送環境を人為的に形成することのできる通信網模写装備を利用してアプリケーションプログラムをテストすることが要求される。
【０００５】
しかし、従来の通信網模写装備は少数の定められた端末機に対してしかテストすることができなかったので、より多くのユーザが同時に多様な模写移動通信網に接続するテストの実行に限界があった。
【発明の概要】
【発明が解決しようとする課題】
【０００６】
従って、本発明はこのような問題点を解決するためのもので、本発明の解決しようとする課題は複数のユーザに多様な種類の模写移動通信網による伝送環境を提供することのできるネットワークエミュレータを提供するのである。
【０００７】
また、本発明の解決しようとする他の課題はネットワークエミュレータを具備するネットワークシステムを提供することにある。
【０００８】
また、本発明の解決しようとするさらに他の課題はネットワークエミュレータを用いた模写移動通信網形成方法を提供することにある。
【課題を解決するための手段】
【０００９】
本発明の一実施例によるネットワークエミュレータは外部装置と少なくとも一つの無線端末機とを接続してデータを伝達する装置に関し、少なくとも一つのターゲット移動通信網におけるデータの伝送環境（以下、ターゲット移動通信網伝送環境とする）を貯蔵しており、外部装置から伝達されるデータの伝送環境をターゲット移動通信網伝送環境の一つの模写移動通信網伝送環境に変更して無線端末機に提供する、又は無線端末機から伝達されるデータの伝送環境を模写移動通信網伝送環境に変更して外部装置に提供する。
【００１０】
ターゲット移動通信網伝送環境は、データの伝送速度がシナリオ情報によって時間変化するデータ伝送環境であってもよい。
【００１１】
シナリオ情報は、データ伝送のための帯域幅の調節、データへのディレイ（delay）の挿入、データパケットのドロップ（Data  Packet  Drop）のうち少なくとも一つを含んでもよい。
【００１２】
模写移動通信網伝送環境は、無線端末機によってターゲット移動通信網伝送環境の一つが選択されて決定される。
【００１３】
ターゲット移動通信網伝送環境は、接続された管理者端末機によって削除若しくは変更される、又は新しいターゲット移動通信網伝送環境が管理者端末機によって追加されてもよい。
【００１４】
ネットワークエミュレータは無線共有機を通じて無線端末機と無線で接続される。これとは異なり、ネットワークエミュレータは無線端末機と無線または有線で直接接続されてもよい。
【００１５】
外部装置は、外部インターネットとの接続を中継する、又は内部ネットワーク網を形成するネットワーク中継機を含んでいてもよい。また、外部装置は外部インターネットを含んでいてもよい。
【００１６】
本発明の一実施例によるネットワークシステムは外部インターネットとの接続を中継する、又は内部ネットワーク網を形成するネットワーク中継機と、少なくとも一つの無線端末機とネットワーク中継機とを接続してデータを伝達し、少なくとも一つのターゲット移動通信網におけるデータの伝送環境（以下、ターゲット移動通信網伝送環境とする）を貯蔵している少なくとも一つのネットワークエミュレータを含む。
【００１７】
ネットワークエミュレータは、ネットワーク中継機から伝達されるデータの伝送環境をターゲット移動通信網伝送環境の一つの模写移動通信網伝送環境に変更して無線端末機に提供する、又は無線端末機から伝達されるデータの伝送環境を模写移動通信網伝送環境に変更してネットワーク中継機に提供する。
【００１８】
ターゲット移動通信網伝送環境は、データの伝送速度がシナリオ情報によって時間変化するデータ伝送環境であってもよい。
【００１９】
シナリオ情報は、データ伝送のための帯域幅の調節、データへのディレイの挿入、データパケットのドロップのうち少なくとも一つを含んでもよい。
【００２０】
無線端末機は、ネットワークエミュレータに接続した後、ターゲット移動通信網伝送環境の一つを選択して、模写移動通信網伝送環境を決定する。
【００２１】
ネットワークシステムは、ネットワークエミュレータに接続してターゲット移動通信網伝送環境を削除若しくは変更する、又は新しいターゲット移動通信網伝送環境を追加する管理者端末機をさらに含んでいてもよい。
【００２２】
ネットワークシステムは、ネットワークエミュレータと無線端末機とを接続させ、近距離無線通信網を形成して無線端末機とデータを送受信する少なくとも一つの無線共有機をさらに含んでいてもよい。これとは異なり、ネットワークエミュレータは、無線端末機と無線または有線で直接接続される。
【００２３】
本発明の一実施例による模写移動通信網形成方法は、外部装置と少なくとも一つの無線端末機とを接続してデータを伝達するネットワークエミュレータを用いて模写移動通信網を形成する模写移動通信網形成方法に関し、ネットワークエミュレータに貯蔵された少なくとも一つのターゲット移動通信網におけるデータの伝送環境（ターゲット移動通信網伝送環境）から模写移動通信網伝送環境を決定し、外部装置から伝達されるデータの伝送環境を模写移動通信網伝送環境に変更して無線端末機に提供し、無線端末機から伝達されるデータの伝送環境（内部伝送環境）を模写移動通信網伝送環境に変更して外部装置に提供する。
【００２４】
模写移動通信網伝送環境の決定は、無線端末機が前記ネットワークエミュレータに接続した後、ターゲット移動通信網伝送環境の一つを選択し、模写移動通信網伝送環境を決定する。
【００２５】
ターゲット移動通信網伝送環境は、ネットワークエミュレータに接続した管理者端末機によって削除若しくは変更する、又は新しいターゲット移動通信網伝送環境が管理者端末機によって追加されてもよい。
【００２６】
外部装置は、外部インターネットとの接続を中継する、又は内部ネットワーク網を形成するネットワーク中継機を含んでいてもよい。
【発明の効果】
【００２７】
このように本発明のネットワークエミュレータ、それを有するネットワークシステム及びそれを用いた模写移動通信網形成方法によると、ネットワークエミュレータに貯蔵された一つまたは複数のターゲット移動通信網伝送環境の一つを選択して模写移動通信網伝送環境を決定し、外部装置からネットワークエミュレータに伝達されるデータの伝送環境を模写移動通信網伝送環境に変更して無線端末機に提供する、又は無線端末機からネットワークエミュレータに伝達されデータの伝送環境を模写移動通信網伝送環境に変更して外部装置に提供してもよい。
【００２８】
これにより、プログラム開発者はネットワークエミュレータ貯蔵されたターゲット移動通信網伝送環境のうち所望する一つを選択して、新しく開発されたアプリケーションプログラムを選択された一つの伝送環境でテストすることができる。即ち、多くのユーザが各々自分の無線端末機を用いて別途に区分された模写移動通信網での伝送環境を体験することができる。
【図面の簡単な説明】
【００２９】
【図１】一般的な内部ネットワーク網を説明するための図面である。
【図２】本発明の一実施例によるネットワークシステムを示す概念図である。
【図３】図１の内部ネットワーク網において無線端末機がインターネットに接続してデータを送受信する状態を説明する図面である。
【図４】図２のネットワークシステムにおいて無線端末機がインターネットに接続してデータを送受信する状態を説明するための図面である。
【図５】図２のネットワークエミュレータに貯蔵されたターゲット移動通信網伝送環境から一つを選択して模写移動通信網伝送環境を決定する過程を説明するための図面である。
【図６】図５のターゲット移動通信網伝送環境のうち一つについてのシナリオ情報の一例を示した図面である。
【発明を実施するための形態】
【００３０】
本発明は多様な変更を加えることができ、多様な形態を有することできる。ここでは、特定の実施形態を図面に例示し本文に詳細に説明する。しかし、これは本発明を特定の開示形態に限定するものではなく、本発明の思想及び技術範囲に含まれる全ての変更、均等物乃至代替物を含むこととして理解されるべきである。
【００３１】
第１、第２などの用語は多用な構成要素を説明するのに使用されることがあるが、構成要素は用語によって限定解釈されない。前記用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００３２】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００３３】
以下、図面を参照して本発明の好適な一実施例をより詳細に説明する。
【００３４】
図１は一般的なネットワーク網を説明するための図面であり、図２は本発明の一実施例によるネットワークシステムを示した概念図である。
【００３５】
図１及び図２を参照すると、本実施例によるネットワークシステムはネットワーク中継機１００、少なくとも一つの無線共有機２００及びネットワークエミュレータ３００を含む。この際、図２に示されたネットワークシステムは図１に示された内部ネットワーク網に前記ネットワークエミュレータ３００がさらに追加されている。
【００３６】
ネットワーク中継機１００は外部インターネット１０との接続を中継する、又は内部ネットワーク網を形成することができる。例えば、ネットワーク中継機１００はネットワークスイッチ、ネットワーク共有機、ネットワークハブ及びルータ（router）のうちいずれか一つであってもよい。
【００３７】
無線共有機２００は近距離無線通信網、例えば、ワイファイ（Ｗｉ−Ｆｉ）網を形成し、少なくとも一つの無線端末機２０とデータを送受信する。具体的に、無線共有機２００はある建物内の一定位置、例えば、建物の各層毎に設置されて近距離無線通信網を形成することができ、近距離無線通信網内に接続された複数の無線端末機２０とデータを無線でやり取りすることができる。
【００３８】
ネットワークエミュレータ３００は、ネットワーク中継機１００と無線共有機２００とを接続してデータを伝達する。また、ネットワークエミュレータ３００は内部メモリに少なくとも一つの移動通信網におけるデータの伝送環境を貯蔵している。
【００３９】
本実施例において、ネットワークシステムは、ネットワークエミュレータ３００に有線または無線で接続され、ネットワークエミュレータ３００を管理することのできる管理者端末機４００をさらに含んでいても良い。
【００４０】
管理者端末機４００は、ネットワークエミュレータ３００に接続し、貯蔵されたターゲット移動通信網でのデータの伝送環境を削除若しくは変更する、又は新しいターゲット移動通信網でのデータの伝送環境を追加することができる。
【００４１】
一方、上記のように、ネットワークエミュレータ３００は無線共有機２００を通じて無線端末機２０と無線で接続される場合を例示したが、これとは異なり無線共有機２００と直接無線または有線で接続されてもよい。即ち、ネットワークエミュレータ３００には無線共有機２００と直接無線または有線で接続できる無線接続部または有線接続部が含まれていても良い。この際、無線共有機２００は省略することもできる。
【００４２】
また、ネットワークエミュレータ３００はネットワーク中継機１００を通じて外部インターネット１０に接続される、又は他のネットワーク接続装置に接続される場合を例示したが、これとは異なり、ネットワークエミュレータ３００が直接外部インターネット１０に接続される、又は他のネットワーク接続装置に接続されてもよい。即ち、ネットワークエミュレータ３００にはネットワーク中継機１００の機能が内蔵されてもよい。この際、ネットワーク中継機１００は省略されてもよい。
【００４３】
以下、無線ネットワークシステムを通じてターゲット移動通信網でのデータの伝送環境のうち一つを具現する模写移動通信網形成方法について詳細に説明する。
【００４４】
図３は図１の内部ネットワーク網において無線端末機がインターネットに接続してデータを送受信する状態を説明した図面であり、図４は図２の無線ネットワークシステムで無線端末機がインターネットに接続してデータを送受信する状態を説明した図面であり、図５は図２のネットワークエミュレータに貯蔵されたターゲット移動通信網伝送環境から一つを選択して模写移動通信網伝送環境を決定する過程を説明するための図面であり、図６は図５のターゲット移動通信網伝送環境のうち一つに対するシナリオ情報の一例を示した図面である。
【００４５】
図３、図４及び図５を参照すると、まず、ネットワークエミュレータ３００に貯蔵された少なくとも一つのターゲット移動通信網でのデータの伝送環境（ターゲット移動通信網伝送環境）の一つを選択して模写移動通信網伝送環境を決定する。具体的に、無線端末機２０がネットワークエミュレータ３００に接続した後、複数のターゲット移動通信網伝送環境の一つを選択して、模写移動通信伝送環境を決定することができる。
【００４６】
以後、インターネット１０または内部ネットワーク網内に存在するデジタルデバイス（図示せず）は、ネットワーク中継機１００を通じてネットワークエミュレータ３００に伝達されるデータの伝送環境（外部伝送環境）を模写移動通信網伝送環境に変更して無線共有機２００を通じて無線端末機２０に提供することができる。
【００４７】
また、無線端末機２０は、無線共有機２００を通じてネットワークエミュレータ３００に伝達されるデータの伝送環境（内部伝送環境）を模写移動通信網伝送環境に変更してネットワーク中継機１００を通じてインターネット１０または内部ネットワーク網内に存在するデジタルデバイス（図示せず）に提供することができる。
【００４８】
本実施例において、ネットワークエミュレータ３００に貯蔵されたターゲット移動通信網伝送環境の各々はデータの伝送速度がシナリオ情報によって時間変化するデータ伝送環境であってもよい。即ち、ターゲット移動通信網伝送環境はそれぞれのシナリオ情報によってデータの伝送速度が時間変化する特性を有してもよい。例えば、ターゲット移動通信網伝送環境は海外移動通信網の市内または地下鉄で体感できるデータの伝送環境であってもよい。
【００４９】
ここで、シナリオ情報はデータ伝送のための帯域幅の調節、データへのディレイ（delay）の挿入、データパケットのドロップ（Data  Packet  Drop）のうち少なくとも一つを含んで作成される。
【００５０】
具体的に説明すると、シナリオ情報は海外のいずれか一つの国家の市内または地下鉄において、時間の経過に伴うデータの伝送速度の変化をチェックして生成されたデータの伝送速度追跡データである。また、シナリオ情報は海外移動通信網における仮想のシナリオに基づいて作成されてもよい。即ち、シナリオ情報はデータ伝送速度追跡データまたは海外移動通信網での仮想のシナリオと同一または類似に具現されるように、帯域幅の変化量、ディレイの時間の程度、データパケットのドロップの区間などを決定する情報を含んでいてもよい。例えば、図６のように、海外のいずれか一つの国家の地下鉄に乗ってトンネルを通過の際、一部区間でデータパケットのドロップが発生してもよい。
【００５１】
一方、ネットワークエミュレータ３００に貯蔵されたターゲット移動通信網伝送環境は管理者によって削除、変更及び追加されてもよい。具体的に、接続が許容された管理者が管理者端末機４００をネットワークエミュレータ３００に接続して貯蔵されたターゲット移動通信網伝送環境のうち少なくとも一部を削除若しくは変更する、又は新しいターゲット移動通信網伝送環境に対する情報を追加することができる。
【００５２】
このように、本実施例によると、ネットワークエミュレータ３００に貯蔵された一つまたは複数のターゲット移動通信網伝送環境の一つを選択して模写移動通信網伝送環境を決定し、ネットワーク中継機１００を通じてネットワークエミュレータ３００に伝達されるデータの伝送環境を模写移動通信網伝送環境に変更して無線共有機２００を通じて無線端末機２０に提供する、又は無線端末機２０によって無線共有機２００を通じてネットワークエミュレータ３００に伝達されるデータの伝送環境を模写移動通信網伝送環境に変更してネットワーク中継機１００に提供することができる。
【００５３】
これにより、海外移動通信網で動作されるアプリケーションプログラムを開発しようとする開発者はネットワークエミュレータ３００に貯蔵されたターゲット移動通信網伝送環境のうち海外移動通信網の伝送環境と同一または類似したの一つを選択して、新しく開発されたアプリケーションプログラムを用意にテストすることができる。即ち、多くのユーザがそれぞれ自分の無線端末機を用いて別途に区分された模写移動通信網での伝送環境を体験することができる。
【００５４】
また、無線ネットワークシステムを通じて海外移動通信網の伝送環境と同一または類似した伝送環境を形成することで、無線ネットワークシステム内の無線端末機が海外移動通信網内での無線端末機とデータをやり取りする際、互いに同一または類似した伝送環境で通信できるように助けることもできる。
【００５５】
前述した本発明の詳細な説明では本発明の望ましい実施例を参照して説明したが、本発明はこれに限定されず、本発明が属する技術分野において通常の知識を有する者であれば、本発明の思想と精神を離れることなく、本発明を修正または変更できる。
【符号の説明】
【００５６】
１０：インターネット
２０：無線端末機
１００：ネットワーク中継機
２００：無線共有機
３００：ネットワークエミュレータ
４００：管理者端末機
【図１】
2015133104.tif 000003
【図２】
2015133104.tif 000004
【図３】
2015133104.tif 000005
【図４】
2015133104.tif 000006
【図５】
2015133104.tif 000007
【図６】
2015133104.tif 000008